(57)【特許請求の範囲】
【請求項１】
導電膜がそれぞれ対向面側に形成された可撓性の第１絶縁板および第２絶縁板と、該第１絶縁板の導電膜の対向する二辺に沿って設けられた一対の第１導体と、該一対の第１導体と直交方向に前記第２絶縁板の導電膜の対向する二辺に沿って設けられた一対の第２導体と、前記第２導体を覆う絶縁層と、前記第２絶縁板の導電膜の対向面に配設された複数のスペーサと、前記第１絶縁板の導電膜の配置側と反対側の面上に設けられ、前記第１絶縁板の導電膜のタッチ範囲を規制する枠体と、を有し、
前記枠体の内周端部下に、前記スペーサの略中心位置が配置されるように前記スペーサを対置させたことを特徴とする感圧式タッチパネル。
【請求項２】
導電膜がそれぞれ対向面側に形成された可撓性の第１絶縁板および第２絶縁板と、該第１絶縁板の導電膜の対向する二辺に沿って設けられた一対の第１導体と、該一対の第１導体と直交方向に前記第２絶縁板の導電膜の対向する二辺に沿って設けられた一対の第２導体と、前記第２導体を覆う絶縁層と、前記第２絶縁板の導電膜の対向面に配設された複数の第１スペーサと、前記第１絶縁板の導電膜の配置側と反対側の面上に設けられ、前記第１絶縁板の導電膜のタッチ範囲を規制する枠体と、前記絶縁層上であって、且つ前記第１絶縁板と前記枠体との間、又は前記絶縁層と前記第１絶縁板の導電膜との間に、第２のスペーサを設けたことを特徴とする感圧式タッチパネル。
【請求項３】
請求項２記載の感圧式タッチパネルにおいて、前記枠体の内周端部下に前記第１のスペーサを対置させたことを特徴とする感圧式タッチパネル。
【請求項４】
請求項２記載の感圧式タッチパネルにおいて、前記第１導体を覆う絶縁層を有する感圧式タッチパネル。
【請求項５】
請求項４記載の感圧式タッチパネルにおいて、前記第２スペーサは、前記第１導体を覆う絶縁層の端部と前記第２導体を覆う絶縁層の端部との間に配されている感圧式タッチパネル。
【請求項６】
請求項４記載の感圧式タッチパネルにおいて、前記第２スペーサは、前記第１絶縁板または前記第２導体を覆う絶縁層に固定したことを特徴とする感圧式タッチパネル。
【請求項７】
請求項１記載の感圧式タッチパネルと、第２絶縁板側に配置されたフラットディスプレイパネルとを情報入力部として備えた情報機器。
【請求項８】
請求項２記載の感圧式タッチパネルと、第２絶縁板側に配置されたフラットディスプレイパネルとを情報入力部として備えた情報機器。
【発明の詳細な説明】
【０００１】
【発明の属する技術分野】
この発明は、端末装置の入力部などに採用される抵抗膜感圧式タッチパネル及びそれを有する情報機器に関するものである。
【０００２】
【従来の技術】
従来の感圧式タッチパネルは、第１の透明な導電膜を内面（対向面）側に形成した可撓性絶縁板と、第２の透明な導電膜を内面（対向面）側に形成したガラス板を所定の間隙で対置させている。
【０００３】
このように構成された感圧式タッチパネルにおいては、操作者は、指または専用のペンで絶縁板を押圧することによって、絶縁板を撓ませ第１及び第２の透明な導電膜を部分的に接触させる。すると、この第１及び第２の透明な導電膜の接触位置のＸ軸方向およびＹ軸方向の位置信号が検出される。
【０００４】
ところで、この感圧式タッチパネルは、携帯式の端末等に組み込まれた場合には、筐体の窓枠に設置され、そして、通常、筐体の窓枠を操作者が指で押さえて使用することが多い。
【０００５】
なお、本発明に関連する技術としては、特許文献１に可撓性絶縁絶縁板に抵抗膜を付着させ、対向する２辺に電極を有する第１の検知板と、絶縁板に抵抗膜を付着させ、該電極と直交する方向について対向する２辺に電極を有する第２の検知板とを対向配置させ、両検知板間にスペーサを設けたタッチパネルが記載され、特許文献２には透明電極を設けたプラスチックフィルムの上部電極が保護シートを有するタッチパネルが記載されている。
【０００６】
【特許文献１】
特開昭６０−１４３８３号公報
【特許文献２】
特開平１０−１１６１４７号公報
【０００７】
【発明が解決しようとする課題】
ところが、このように構成された従来の感圧式タッチパネルにおいては、窓枠を押えて入力する操作者の押圧力によってこの窓枠が撓んで可撓性絶縁板（フィルム）に接触し、意図しない入力座標の位置データが誤って入力される虞れがある。
【０００８】
そこで、本発明の目的は、操作者の押圧位置の如何にかかわらず、位置データの誤入力を防ぐことのできる感圧式タッチパネルを得ることである。また本発明の他の目的は可撓性絶縁板上の導電膜の損傷を防ぐことのできる感圧式タッチパネルを得ることである。
【０００９】
【課題を解決するための手段】
本発明の感圧式タッチパネルは、導電膜がそれぞれ対向面側に形成された可撓性の第１絶縁板および第２絶縁板と、該第１絶縁板の導電膜の対向する二辺に沿って設けられた一対の第１導体と、該一対の第１導体と直交方向に前記第２絶縁板の導電膜の対向する二辺に沿って設けられた一対の第２導体と、前記第２導体を覆う絶縁層と、前記第２絶縁板の導電膜の対向面に配設された複数のスペーサと、前記第１絶縁板の導電膜の配置側と反対側の面上に設けられ、前記第１絶縁板の導電膜のタッチ範囲を規制する枠体と、を有し、前記枠体の内周端部下に、前記スペーサの略中心位置が配置されるように前記スペーサを対置させたことを特徴とする。
【００１０】
また本発明の感圧式タッチパネルは、導電膜がそれぞれ対向面側に形成された可撓性の第１絶縁板および第２絶縁板と、該第１絶縁板の導電膜の対向する二辺に沿って設けられた一対の第１導体と、該一対の第１導体と直交方向に前記第２絶縁板の導電膜の対向する二辺に沿って設けられた一対の第２導体と、前記第２導体を覆う絶縁層と、前記第２絶縁板の導電膜の対向面に配設された複数の第１スペーサと、前記第１絶縁板の導電膜の配置側と反対側の面上に設けられ、前記第１絶縁板の導電膜のタッチ範囲を規制する枠体と、前記絶縁層上であって、且つ前記第１絶縁板と前記枠体との間、又は前記絶縁層と前記第１絶縁板の導電膜との間に、第２のスペーサを設けたことを特徴とする。
【００１１】
【発明の実施の形態】
以下、本発明の抵抗膜感圧式タッチパネルの一実施の形態を図面を参照して詳述する。
【００１２】
図１は、本発明の感圧式タッチパネルの第１の実施の形態の構成を示す分解図であり、図２は図１の２−２断面の縦断面図である。なお、図２は構成部材の幅および長さ方向と比べて厚みを誇張して示している。図１において、導電膜２２，２３は省略されている。図３は専用のペンで可撓性絶縁板（フィルム）を押圧した場合の状態を示す縦断面図である。
【００１３】
本実施形態の感圧式タッチパネルは、筐体１０の内部に、透明な導電膜２２を内面側に形成した第１絶縁板としての可撓性絶縁フィルム１３と、同じく透明な導電膜２３を内面側に形成した第２絶縁板としてのガラス板２０を所定の間隙で対置させている。
【００１４】
導電膜２２には、可撓性絶縁フィルム１３の対向する２辺に沿って対向するように２つの導体１４Ａ，１４Ｂが配設されており、この導体１４Ａ，１４Ｂは、導電膜２２を介してフィルム１３に固定されていて、絶縁層１５で覆われている。絶縁層１５は形成されなくてもよい。
【００１５】
一方、導電膜２３には、ガラス板２０の、導体１４Ａ，１４Ｂと直交方向の、対向する２辺に沿って対向するように２つの導体１８Ａ，１８Ｂが配設されており、この導体１８Ａ，１８Ｂも、導電膜２３を介してガラス板２０に固定されていて、絶縁層２１で覆われている。なお、導電膜２３の内面側には、ほぼ円錐台状のスペーサ１９が所定の間隔で接合されている。絶縁層２１の幅は絶縁層１５の幅より広く設けられている。
【００１６】
さらに、これらの絶縁層１５、２１の間には、結合部材としての両面テープ１７が挿入されており、この両面テープ１７によってフィルム１３とガラス板２０は互いに固定されるともに、スペーサ１９によって導電膜２２、２３の間を所定の間隙に維持した感圧式タッチパネルを構成している。
【００１７】
このように構成された感圧式タッチパネルにおいては、端末機の操作者は、指または専用のペン１２でフィルム１３を押圧することによって、図３に示すように、導電膜２２、２３を部分的に接触させる。すると、この導電膜２２、２３の接触位置のＸ軸方向およびＹ軸方向の位置信号が導体１４Ａ，１４Ｂ、１８Ａ，１８Ｂを介して情報機器の入力部に送信される。
【００１８】
導電膜２２のタッチ範囲を規制する窓枠１１の内周端面１１ａ（内周端部）は、絶縁層２１の内周端面２１ａの位置よりも内側に突き出ていて、さらに絶縁層２１に隣接したスペーサ１９のほぼ中心位置に達している。したがって、操作者の押圧力によって窓枠１１が撓んでフィルム１３を押圧、又は窓枠１１の内周端部近傍のフィルム１３をペン１２で押圧または摺動しても、この部分のフィルム１３とともに撓む導電膜２２は、まずスペーサ１９に接触するので、導電膜２２と導電膜２３とが接触することがなく、窓枠１１の撓みによって意図しない入力座標の位置データが誤って入力されることがない。また絶縁層２１の内周の縁に導電膜２２は接触しないので、絶縁層２１の内周の縁によって導電膜２２が損傷を受けることもない。
【００１９】
一方、フィルム１３の表面には、スペーサとして半球状の突起１６が導電膜１４Ａ，１４Ｂに沿うように所定の間隔で配置され、かつ、接合されており、さらに、この突起１６の位置は、絶縁層１５の内周と絶縁層２１の内周の中間部となっている。なお、突起１６はフィルム１３の表面に四辺に沿って、つまり「□」形状に設けられてもよい。操作者が窓枠１１の一辺のみを押圧するような場合にはその押圧側の１つの導体（例えば導体１４Ｂ）に沿うように突起１６を設けてもよい。このように構成された感圧式タッチパネルにおいては、操作者が窓枠１１を押圧した場合でも、フィルム１３はまず突起１６の固定部分が撓み、この裏面の導電膜２２が絶縁層２１の上面に接触することで、導電膜２２、２３の相互間の接触を防ぐことができるので、意図しない入力座標の位置データが誤って入力されることがない。また絶縁層２１の内周の縁に導電膜２２が破損を生じさせるような角度では接触しないので、絶縁層２１の内周の縁によって導電膜２２が損傷を受けることもない。
【００２０】
ここでは、窓枠１１の内周端部が隣接したスペーサ１９のほぼ中心位置に達するような構成とするとともに、フィルム１３の表面側に半球状の突起１６を所定の間隔で配置する構成としているが、何れかの構成をとってもよい。なお、上記実施の形態において、突起１６はフィルム１３に設けた例で説明したが、窓枠１１側に逆向きに設けてもよい。またスペーサとして半円球状の突起を設けたが、かかる形状に限定されず、断面が半円状等の線状のスペーサ、又は短い線状のスペーサを複数個、線状に設けてもよい。
【００２１】
次に、本発明の感圧式タッチパネルの第２の実施の形態を図４の縦断面図で説明する。
【００２２】
図４において、この感圧式タッチパネルが第１の実施の形態で示した図２と異なる点は、突起の位置を変えたことで、他は図２の構成と同様である。
【００２３】
すなわち、突起２４は、絶縁層２１の内面側に対して、この絶縁層２１の内周と絶縁層１５の内周の中間の位置に所定の間隔で設けられている。
【００２４】
このように構成された抵抗膜感圧式タッチパネルにおいても、操作者の押圧力によって窓枠１１が撓んでフィルム１３を押圧、又は窓枠１１の内周端部近傍のフィルム１３をペン１２で押圧または摺動しても、このフィルム１３とともに撓む導電膜２２は、まず突起２４に接触することで、絶縁層２１の内周の縁との接触を防ぐことができるので、窓枠１１の撓みに伴う導電膜２２の破断を回避することができる。また意図しない入力座標の位置データが誤って入力されることもない。
【００２５】
なお、この実施の形態において、突起２４は絶縁層２１に設けた例で説明したが、導電膜２２側に逆向きに設けてもよい。ここでは、絶縁基板１３、２０及びその上の導電膜２２、２３は透明としているが、不透明又は半透明であってもよい。
【００２６】
図５は上記感圧式タッチパネルを含む携帯情報機器を示す分解図である。この携帯情報機器は感圧式タッチパネルを液晶パネルやＥＬパネル等の表示パネル２５上に搭載し、筐体３０の窓枠３１内に設置している。専用のペン３２で感圧式タッチパネルのフィルムを押圧等することで表示パネル上に表示されたアイコン等を選択したり、手書文字入力により文字や図形を表示パネルに入力することができる。
【００２７】
本発明に係わる感圧式タッチパネルは、コンピュータへ画像情報等を入力する入力端末として用いることができ、上記携帯情報機器に限らず、表示パネルと組み合わせたデスクトップ型コンピュータのモニタ、表示パネルと組み合わせたノート型やタブレット型のパーソナルコンピュータの表示部、キャッシュレジスタやＡＴＭの表示部等の各種情報機器の情報入力部として用いることができる。
【００２８】
【発明の効果】
以上詳述したように、本発明によれば、操作者の押圧位置の如何にかかわらず、絶縁層の損傷と位置データの誤入力を防ぐことのできる。
【図面の簡単な説明】
【図１】図１は、本発明の感圧式タッチパネルの第１の実施の形態の構成を示す分解図である。
【図２】図１の２−２断面の縦断面図である。
【図３】専用のペンで可撓性絶縁板（フィルム）を押圧した場合の状態を示す縦断面図である。
【図４】本発明の感圧式タッチパネルの第２の実施の形態の構成を示す縦断面図である。
【図５】感圧式タッチパネルを含む携帯情報機器を示す分解図である。
【符号の説明】
１０  筐体
１１  窓枠
１２  ペン
１３  可撓性絶縁フィルム（可撓性絶縁板）
１４Ａ，１４Ｂ，１８Ａ，１８Ｂ  導体
１５，２１  絶縁層
１６，２４  突起（第２スペーサ）
１７  両面テープ
１９  スペーサ
２０  ガラス板
２２，２３  導電膜
２５  表示パネル
３０  筐体
３１  窓枠
３２  ペン
【図１】
0003781722.tif 000002
【図２】
0003781722.tif 000003
【図３】
0003781722.tif 000004
【図４】
0003781722.tif 000005
【図５】
0003781722.tif 000006